(57)【要約】【課題】  複数の利用者の印刷済用紙が排出部に混在する際にも、利用者認証等を要せずに、各利用者による他の利用者の印刷済用紙の誤持去りを防止する。【解決手段】  プリンタ３０において、印刷履歴管理部３６２は各クライアント端末１０各々から受付けた印刷ジョブの印刷履歴を管理する。誤持去り警告制御部３６４は、用紙有無検知センサ４１の検知出力に基づき排出トレイ４０からの印刷済用紙の持ち去りを検出すると、印刷履歴管理部３６２が管理する印刷履歴をチェックし、異なる複数のユーザの印刷ジョブが存在する場合には警告条件を満足すると判定し、排出トレイ４０に排出済みの印刷済用紙に他ユーザの印刷済用紙が混在している可能性がある旨の警告メッセージを表示／操作部３５に表示する。【選択図】  図３
2009184224.tif 000002
【特許請求の範囲】
【請求項１】
複数の文書処理端末と、
前記複数の文書処理端末からの印刷指示に基づき文書の印刷処理を実行する印刷装置と
を有し、
前記印刷装置は、
前記印刷処理により印刷した文書で、排出口に排出された印刷済用紙の取り去り前の文書の印刷履歴を管理する印刷履歴管理手段と、
前記印刷処理により排出口に排出された印刷済用紙の有無を検出する検出手段と、
前記検出手段の検出出力に基づき前記排出口に排出された印刷済用紙の取り去りが検出された際に、前記印刷履歴管理手段により管理される印刷履歴に基づき前記排出口からの取り去り前の複数の利用者の文書があったかを判別する判別手段と、
前記判別手段により取り去り前の複数の利用者の文書があったと判別された場合は誤持ち去りを警告する警告手段と
を具備する印刷制御システム。
【請求項２】
複数の文書処理端末と、
前記複数の文書処理端末からの印刷指示に基づき文書の印刷処理を実行する印刷装置と
を有し、
前記印刷装置は、
前記印刷処理により印刷した文書で、排出口に排出された印刷済用紙の取り去り前の文書の印刷履歴を管理する印刷履歴管理手段と、
前記印刷履歴管理手段により管理され印刷履歴に基づき前記排出口からの取り去り前の複数の利用者の文書があり、かつ隣接する各利両者の文書の枚数の差が予め設定した枚数以上であるかを判別する判別手段と、
前記判別手段により取り去り前の複数の利用者の文書があったと判別され、かつ隣接する各利用者の文書の枚数の差が予め設定した枚数以上であると判別された場合は誤持ち去りを警告する警告手段と
を具備する印刷制御システム。
【請求項３】
前記判別手段は、
前記印刷履歴管理手段により管理され印刷履歴に基づき前記排出口からの取り去り前の複数の利用者の文書があり、かつ同一利用者の文書の間に他の利用者の文書が印刷されているかを更に判別し、
前記警告手段は、
前記判別手段により取り去り前の複数の利用者の文書があったと判別され、かつ同一利用者の文書の間に他の利用者の文書が印刷されていると判別された場合は誤持ち去りを警告する
請求項２記載の印刷制御システム。
【請求項４】
前記印刷装置は、
前記印刷処理により印刷済用紙が排出口に排出された場合は、該当文書の印刷指示元文書処理端末に対して該印刷済用紙の取り除きを促す表示を指示する指示手段
を具備し、
前記警告手段は、
前記判別手段により前記判別がなされた場合は、表示部に誤持ち去りの確認を促す表示を行う警告表示手段と、
前記印刷履歴管理手段により管理されている該当複数の文書の印刷指示元文書処理端末に対して前記指示手段による表示に代えて誤持ち去りの確認を促す表示を指示する警告表示指示手段と
を具備する請求項１乃至３のいずれかに記載の印刷制御システム。
【請求項５】
前記印刷装置は、
前記警告表示手段による誤持ち去りの確認を促す表示に基づき印刷履歴の消去操作がなされた場合、または、前記警告表示指示手段による表示に基づき該当する印刷指示元文書処理端末による印刷履歴の消去操作がなされた場合、前記印刷履歴管理手段により管理される該当する印刷履歴を消去する消去手段と、
前記消去手段による前記印刷履歴の消去により、前記印刷履歴管理手段が管理する印刷履歴が単一ユーザのみの印刷履歴となった場合、前記警告表示手段による警告表示および前記警告表示指示手段による表示指示を停止する停止手段と
を更に具備する請求項４記載の印刷制御システム。
【請求項６】
複数の文書処理端末からの印刷指示に基づき文書の印刷処理を実行する印刷装置であって、
前記印刷処理により印刷した文書で、排出口に排出された印刷済用紙の取り去り前の文書の印刷履歴を管理する印刷履歴管理手段と、
前記印刷処理により排出口に排出された印刷済用紙の有無を検出する検出手段と、
前記検出手段の検出出力に基づき前記排出口に排出された印刷済用紙の取り去りが検出された際に、前記印刷履歴管理手段により管理される印刷履歴に基づき前記排出口からの取り去り前の複数の利用者の文書があったかを判別する判別手段と、
前記判別手段により取り去り前の複数の利用者の文書があったと判別された場合は誤持ち去りを警告する警告手段と
を具備する印刷制御装置。
【請求項７】
複数の文書処理端末からの印刷指示に基づき文書の印刷処理を実行する印刷装置であって、
前記印刷処理により印刷した文書で、排出口に排出された印刷済用紙の取り去り前の文書の印刷履歴を管理する印刷履歴管理手段と、
前記印刷履歴管理手段により管理され印刷履歴に基づき前記排出口からの取り去り前の複数の利用者の文書があり、かつ隣接する各利両者の文書の枚数の差が予め設定した枚数以上であるかを判別する判別手段と、
前記判別手段により取り去り前の複数の利用者の文書があったと判別され、かつ隣接する各利用者の文書の枚数の差が予め設定した枚数以上であると判別された場合は誤持ち去りを警告する警告手段と
を具備する印刷制御装置。
【請求項８】
前記判別手段は、
前記印刷履歴管理手段により管理され印刷履歴に基づき前記排出口からの取り去り前の複数の利用者の文書があり、かつ同一利用者の文書の間に他の利用者の文書が印刷されているかを更に判別し、
前記警告手段は、
前記判別手段により取り去り前の複数の利用者の文書があったと判別され、かつ同一利用者の文書の間に他の利用者の文書が印刷されていると判別された場合は誤持ち去りを警告する
請求項７記載の印刷制御装置。
【請求項９】
前記印刷処理により印刷済用紙が排出口に排出された場合は、該当文書の印刷指示元文書処理端末に対して該印刷済用紙の取り除きを促す表示を指示する指示手段
を具備し、
前記警告手段は、
前記判別手段により前記判別がなされた場合は、表示部に誤持ち去りの確認を促す表示を行う警告表示手段と、
前記印刷履歴管理手段により管理されている該当複数の文書の印刷指示元文書処理端末に対して前記指示手段による表示に代えて誤持ち去りの確認を促す表示を指示する警告表示指示手段と
を具備する請求項６乃至８のいずれかに記載の印刷制御装置。
【請求項１０】
前記警告表示手段による誤持ち去りの確認を促す表示に基づき印刷履歴の消去操作がなされた場合、または、前記警告表示指示手段による表示に基づき該当する印刷指示元文書処理端末による印刷履歴の消去操作がなされた場合、前記印刷履歴管理手段により管理される該当する印刷履歴を消去する消去手段と、
前記消去手段による前記印刷履歴の消去により、前記印刷履歴管理手段が管理する印刷履歴が単数となった場合、前記警告表示手段による警告表示および前記警告表示指示手段による表示指示を停止する停止手段と
を更に具備する請求項９記載の印刷制御装置。
【発明の詳細な説明】
【技術分野】
【０００１】
本発明は、印刷制御装置、及び印刷制御システムに関する。
【背景技術】
【０００２】
パーソナル・コンピュータ（ＰＣ）等の上位装置と、プリンタや複合機等の印刷制御装置を接続するネットワーク環境の普及に伴い、多数のユーザが１台または複数台の印刷制御装置を共有するケースが増大している。
【０００３】
かかるネットワーク環境においては、印刷制御装置の用紙排出口には多数のユーザが印刷した多数の印刷ジョブの印刷排出された用紙が堆積することになり、あるユーザが自分の印刷排出用紙を取り去る時、誤って他人の印刷排出用紙も取り去ってしまう危険性がある。
【０００４】
誤って持ち去った場合、持ち去られた側のユーザは誰が持ち去ったのか、また、持ち去った側のユーザは誰の印刷排出用紙を誤って持ち去ったのかを追跡困難な場合が多い。
【０００５】
上述したネットワーク環境で運用される従来装置として、下記特許文献１には、複数の排出口を有し、用紙有無センサにより用紙無しを検出した排出口に排出させると共に、排紙口に複数のジョブが混在した場合にも混在を報知する画像形成装置が開示されている。
【０００６】
下記特許文献２には、プリントした用紙の持ち出しを検出するセンサを排出トレーに設けると共に、ユーザにより入力されたバイオメトリクスデータを該ユーザを特定する情報に変換する手段を設け、プリント用紙を排出トレーから持ち出す際に入力されたバイオメトリクスデータを、ユーザを特定する情報に変換して用紙の持ち出し実績として記憶することで、プリントした用紙の持ち出し状況を管理できるようにした文書処理装置が開示されている。
【０００７】
下記特許文献３には、印刷ジョブに付けられた所定の識別子と該印刷ジョブにより排紙された排紙トレイにおける印刷用紙の有無の検知状態に応じて、表示手段による出力（表示形態）または報知手段による出力（報知形態）を変えることにより、利用者が、排紙された印刷用紙を回収する際に注意を促すことができるようにした画像形成装置が開示されている。
【０００８】
下記特許文献４には、複数の排紙トレイにおける用紙の有無の検知出力と、予め設定されている優先順位とに従って空の排紙トレイから順次排紙を行わせ、さらに各排紙トレイの排紙順，排紙時間等の排紙履歴と排紙枚数とを表示し、排紙履歴と排紙枚数の表示によって、ユーザが自己に係る用紙が排出されている排紙トレイを判別できるようにした画像形成装置が開示されている。
【０００９】
下記特許文献５には、出力指示を行ったユーザを示す出力ユーザ情報と記録紙を取り除くユーザを示す取り除きユーザ情報（ユーザ認証により得る）とに基づき、出力ユーザ情報の所属グループ情報と取り除きユーザ情報の所属グループ情報とが一致しない場合には取り間違いが発生したことを警告する警告メッセージを表示させる画像形成装置が開示されている。
【特許文献１】特開平５−１０５３１６号公報
【特許文献２】特開２００４−３５２４２９号公報
【特許文献３】特開２００５−１５４１１１号公報
【特許文献４】特開平５−２９４５４７号公報
【特許文献５】特開２００７−１６８０９８号公報
【発明の開示】
【発明が解決しようとする課題】
【００１０】
本発明は、複数の利用者の印刷済用紙が排出部に混在している状況下でも、利用者認証等を必要とせずに、各利用者が他の利用者の印刷済用紙を誤って持ち去ることを防止できる印刷制御装置、及び印刷制御システムを提供することを目的とする。
【課題を解決するための手段】
【００１１】
上記目的を達成するために、請求項１記載の印刷制御システムの発明は、複数の文書処理端末と、前記複数の文書処理端末からの印刷指示に基づき文書の印刷処理を実行する印刷装置とを有し、前記印刷装置は、前記印刷処理により印刷した文書で、排出口に排出された印刷済用紙の取り去り前の文書の印刷履歴を管理する印刷履歴管理手段と、前記印刷処理により排出口に排出された印刷済用紙の有無を検出する検出手段と、前記検出手段の検出出力に基づき前記排出口に排出された印刷済用紙の取り去りが検出された際に、前記印刷履歴管理手段により管理される印刷履歴に基づき前記排出口からの取り去り前の複数の利用者の文書があったかを判別する判別手段と、前記判別手段により取り去り前の複数の利用者の文書があったと判別された場合は誤持ち去りを警告する警告手段とを具備する。
【００１２】
請求項２記載の印刷制御システムの発明は、複数の文書処理端末と、前記複数の文書処理端末からの印刷指示に基づき文書の印刷処理を実行する印刷装置とを有し、前記印刷装置は、前記印刷処理により印刷した文書で、排出口に排出された印刷済用紙の取り去り前の文書の印刷履歴を管理する印刷履歴管理手段と、前記印刷履歴管理手段により管理され印刷履歴に基づき前記排出口からの取り去り前の複数の利用者の文書があり、かつ隣接する各利両者の文書の枚数の差が予め設定した枚数以上であるかを判別する判別手段と、前記判別手段により取り去り前の複数の利用者の文書があったと判別され、かつ隣接する各利用者の文書の枚数の差が予め設定した枚数以上であると判別された場合は誤持ち去りを警告する警告手段とを具備する。
【００１３】
請求項３記載の発明は、上記請求項２記載の発明において、前記判別手段は、前記印刷履歴管理手段により管理され印刷履歴に基づき前記排出口からの取り去り前の複数の利用者の文書があり、かつ同一利用者の文書の間に他の利用者の文書が印刷されているかを更に判別し、前記警告手段は、前記判別手段により取り去り前の複数の利用者の文書があったと判別され、かつ同一利用者の文書の間に他の利用者の文書が印刷されていると判別された場合は誤持ち去りを警告する。
【００１４】
請求項４記載の発明は、上記請求項１乃至３のいずれかに記載の発明において、前記印刷装置は、前記印刷処理により印刷済用紙が排出口に排出された場合は、該当文書の印刷指示元文書処理端末に対して該印刷済用紙の取り除きを促す表示を指示する指示手段を具備し、前記警告手段は、前記判別手段により前記判別がなされた場合は、表示部に誤持ち去りの確認を促す表示を行う警告表示手段と、前記印刷履歴管理手段により管理されている該当複数の文書の印刷指示元文書処理端末に対して前記指示手段による表示に代えて誤持ち去りの確認を促す表示を指示する警告表示指示手段とを具備する。
【００１５】
請求項５記載の発明は、上記請求項４記載の発明において、前記印刷装置は、前記警告表示手段による誤持ち去りの確認を促す表示に基づき印刷履歴の消去操作がなされた場合、または、前記警告表示指示手段による表示に基づき該当する印刷指示元文書処理端末による印刷履歴の消去操作がなされた場合、前記印刷履歴管理手段により管理される該当する印刷履歴を消去する消去手段と、前記消去手段による前記印刷履歴の消去により、前記印刷履歴管理手段が管理する印刷履歴が単一ユーザのみの印刷履歴となった場合、前記警告表示手段による警告表示および前記警告表示指示手段による表示指示を停止する停止手段とを更に具備する。
【００１６】
請求項６記載の印刷制御装置の発明は、複数の文書処理端末からの印刷指示に基づき文書の印刷処理を実行する印刷装置であって、前記印刷処理により印刷した文書で、排出口に排出された印刷済用紙の取り去り前の文書の印刷履歴を管理する印刷履歴管理手段と、前記印刷処理により排出口に排出された印刷済用紙の有無を検出する検出手段と、前記検出手段の検出出力に基づき前記排出口に排出された印刷済用紙の取り去りが検出された際に、前記印刷履歴管理手段により管理される印刷履歴に基づき前記排出口からの取り去り前の複数の利用者の文書があったかを判別する判別手段と、前記判別手段により取り去り前の複数の利用者の文書があったと判別された場合は誤持ち去りを警告する警告手段とを具備する。
【００１７】
請求項７記載の印刷制御装置の発明は、複数の文書処理端末からの印刷指示に基づき文書の印刷処理を実行する印刷装置であって、前記印刷処理により印刷した文書で、排出口に排出された印刷済用紙の取り去り前の文書の印刷履歴を管理する印刷履歴管理手段と、前記印刷履歴管理手段により管理され印刷履歴に基づき前記排出口からの取り去り前の複数の利用者の文書があり、かつ隣接する各利両者の文書の枚数の差が予め設定した枚数以上であるかを判別する判別手段と、前記判別手段により取り去り前の複数の利用者の文書があったと判別され、かつ隣接する各利用者の文書の枚数の差が予め設定した枚数以上であると判別された場合は誤持ち去りを警告する警告手段とを具備する。
【００１８】
請求項８記載の発明は、上記請求項７記載の発明において、前記判別手段は、前記印刷履歴管理手段により管理され印刷履歴に基づき前記排出口からの取り去り前の複数の利用者の文書があり、かつ同一利用者の文書の間に他の利用者の文書が印刷されているかを更に判別し、前記警告手段は、前記判別手段により取り去り前の複数の利用者の文書があったと判別され、かつ同一利用者の文書の間に他の利用者の文書が印刷されていると判別された場合は誤持ち去りを警告する。
【００１９】
請求項９記載の発明は、上記請求項６乃至８のいずれかに記載の発明において、前記印刷処理により印刷済用紙が排出口に排出された場合は、該当文書の印刷指示元文書処理端末に対して該印刷済用紙の取り除きを促す表示を指示する指示手段を具備し、前記警告手段は、前記判別手段により前記判別がなされた場合は、表示部に誤持ち去りの確認を促す表示を行う警告表示手段と、前記印刷履歴管理手段により管理されている該当複数の文書の印刷指示元文書処理端末に対して前記指示手段による表示に代えて誤持ち去りの確認を促す表示を指示する警告表示指示手段とを具備する。
【００２０】
請求項１０記載の発明は、上記請求項９記載の発明において、前記警告表示手段による誤持ち去りの確認を促す表示に基づき印刷履歴の消去操作がなされた場合、または、前記警告表示指示手段による表示に基づき該当する印刷指示元文書処理端末による印刷履歴の消去操作がなされた場合、前記印刷履歴管理手段により管理される該当する印刷履歴を消去する消去手段と、前記消去手段による前記印刷履歴の消去により、前記印刷履歴管理手段が管理する印刷履歴が単数となった場合、前記警告表示手段による警告表示および前記警告表示指示手段による表示指示を停止する停止手段とを更に具備する。
【発明の効果】
【００２１】
請求項１記載の印刷制御システムの発明によれば、複数のユーザが各ＰＣからプリンタを共有する環境下で、プリンタの排出口に排出されている複数ユーザの印刷済用紙をあるユーザがまとめて取り去るのを契機に誤持去りの警告を発し、該ユーザに他ユーザの印刷済用紙を残し、自分の印刷済用紙のみを持ち去るように対処させることで、他ユーザの印刷済用紙の誤持去りを防止できる。
【００２２】
請求項２記載の発明によれば、複数のユーザが各ＰＣからプリンタを共有する環境下で、プリンタの排出口にあるユーザの大量の印刷済用紙上に他ユーザの少量の印刷済用紙が排出されている時、どちらかのユーザが印刷済用紙を取りに行った祭に誤持去りの警告に気付き、他ユーザの印刷済用紙を残し、自分の印刷済用紙のみを持ち去るように振舞うことができる。
【００２３】
請求項３記載の発明によれば、複数のユーザが各ＰＣからプリンタを共有する環境下で、プリンタの排出口にあるユーザの複数回の印刷の印刷済用紙の間に他ユーザの印刷済用紙が混在して排出されている時、各ユーザが印刷済用紙を取りに行った祭に誤持去りの警告に気付き、他ユーザの印刷済用紙を残し、自分の印刷済用紙のみを持ち去るように対処することができる。
【００２４】
請求項４記載の発明によれば、複数のユーザが各ＰＣからプリンタを共有する環境下で、プリンタの排出口に複数ユーザの印刷済用紙が排出されている場合に、プリンタと、各ユーザのＰＣとの双方で複数ユーザの印刷済用紙が混在している可能性があることを警告し、誤持去りへの注意を促すことができる。
【００２５】
請求項５記載の発明によれば、複数のユーザが各ＰＣからプリンタを共有する環境下で、プリンタの排出口に混在する複数ユーザの印刷済用紙の中から自分の印刷済用紙を正しく持去った時には該ユーザの印刷履歴がプリンタまたは各ＰＣでの操作によって消去されるという前提での運用を可能にし、各ユーザが自分の印刷済用紙を正しく持去った後でも印刷履歴が残り誤持去り警告に影響を与えるという事態を回避できる。
【００２６】
請求項６記載の印刷制御装置の発明によれば、複数のユーザが共有するプリンタにおいて、排出口に排出されている複数ユーザの印刷済用紙をあるユーザがまとめて取り去るのを契機に誤持去りの警告を発し、該ユーザに他ユーザの印刷済用紙を残し、自分の印刷済用紙のみを持ち去るように対処させることで、他ユーザの印刷済用紙の誤持去りを防止できる。
【００２７】
請求項７記載の発明によれば、複数のユーザが共有するプリンタにおいて、排出口にあるユーザの大量の印刷済用紙上に他ユーザの少量の印刷済用紙が排出されている時、どちらかのユーザが印刷済用紙を取りに行った祭に誤持去りの警告に気付き、他ユーザの印刷済用紙を残し、自分の印刷済用紙のみを持ち去るように振舞うことができる。
【００２８】
請求項８記載の発明によれば、複数のユーザが共有するプリンタにおいて、排出口にあるユーザの複数回の印刷の印刷済用紙の間に他ユーザの印刷済用紙が混在して排出されている時、各ユーザが印刷済用紙を取りに行った祭に誤持去りの警告に気付き、他ユーザの印刷済用紙を残し、自分の印刷済用紙のみを持ち去るように対処することができる。
【００２９】
請求項９記載の発明によれば、複数のユーザが共有するプリンタにおいて、排出口に複数ユーザの印刷済用紙が排出されている場合に、プリンタと、各ユーザのＰＣとの双方で複数ユーザの印刷済用紙が混在している可能性があることを警告し、誤持去りへの注意を促すことができる。
【００３０】
請求項１０記載の発明によれば、複数のユーザが共有するプリンタにおいて、排出口に混在する複数ユーザの印刷済用紙の中から自分の印刷済用紙を正しく持去った時には該ユーザの印刷履歴がプリンタまたは各ＰＣでの操作によって消去されるという前提での運用を可能にし、各ユーザが自分の印刷済用紙を正しく持去った後でも印刷履歴が残り誤持去り警告に影響を与えるという事態を回避できる。
【発明を実施するための最良の形態】
【００３１】
以下、本発明の実施形態について添付図面を参照して詳細に説明する。
【実施例１】
【００３２】
図１は、実施例１に係わる印刷システムの全体構成を示すブロック図である。
【００３３】
この印刷システムは、文書の編集や管理、印刷指示（印刷ジョブ）発行等の文書処理機能を有する複数のクライアント端末１０（１０−１，１０−２，…，１０−ｎ）と、任意のクライアント端末１０からの印刷指示に基づき該印刷指示により印刷指定された文書情報を記録媒体（記録用紙）に画像として印刷出力するプリンタ３０とをＬＡＮケーブル等の伝送路５０を介して接続して構成される。
【００３４】
図２は、実施例１の印刷システムにおけるクライアント端末１０の機能構成を示すブロック図である。
【００３５】
クライアント端末１０は、例えば、ＰＣ（パーソナル・コンピュータ）により実現され、図２に示すように、キーボードやマウス等の入力デバイスから成る入力／操作部１１、操作ガイダンスや動作状態等の各種情報を表示する表示部１２、動作プログラム等の各種情報を記憶する記憶部１３、装置全体の制御を行う制御部１４、伝送路５０を介してプリンタ３０と通信（印刷ジョブ等のデータの送受）する際の通信インタフェースを司る通信インタフェース（Ｉ／Ｆ）部１５を備えて構成される。
【００３６】
クライアント端末１０において、制御部１４には、入力／操作部１１での所定の操作に応じて文書情報（文書ファイル）などの操作、保存、表示、編集、印刷指示操作などの処理を行うアプリケーション部１４１、入力／操作部１１での所定の印刷指示操作に基づき文書ファイルの印刷データとその処理命令から成る印刷ジョブを生成してプリンタ３０に送出する印刷ジョブ生成部１４２、印刷ジョブ生成部１４２から送出（印刷指示）した印刷ジョブに基づくプリンタ３０での印刷処理等に係る動作状態情報をプリンタ３０から受信し、該動作状態情報に基づき表示部１２にプリンタ３０の動作状態を表示すると共に、該表示に用いる動作状態情報の管理を行う印刷装置状態管理制御部１４３が設けられる。
【００３７】
図３は、本実施例の印刷システムにおけるプリンタ３０の機能構成を示すブロック図である。
【００３８】
図３に示すように、プリンタ３０は、伝送路５０を介して複数のクライアント端末１０と通信（データの送受）する際の通信インタフェースを司る通信インタフェース（Ｉ／Ｆ）部３１、動作プログラムや、通信Ｉ／Ｆ部３１を通じて任意のクライアント端末１０から受信した印刷指示（印刷ジョブ）に含まれる印刷対象の文書情報（画像データ）等の各種情報を記憶する記憶部３２、記憶部３２に記憶された印刷対象の文書情報（画像データ）から印刷データを生成する画像処理を行う画像処理部３３、画像処理部３３により画像処理された画像信号（印刷データ）に基づき電子写真プロセスを実行して記録媒体（記録用紙）に画像を形成（印刷）して排出口（排出トレイ４０）に排出する画像形成部３４、液晶表示器等の表示部とテンキー等の各種操作キーを有する操作部とから成る表示／操作部（以下、オペレーション・パネル）３５、装置全体の制御を行なう制御部３６を具備して構成される。
【００３９】
このプリンタ３０では、例えば、１つの排出トレイ４０が設けられる。
【００４０】
排出トレイ４０には、該排出トレイ４０に排出される印刷済用紙の有無を検知する用紙有無検知センサ４１が設けられる。用紙有無検知センサ４１は、排出トレイ４１に印刷済用紙が有るか無いかに応じて、用紙有りまたは用紙無しに対応する検知出力を発生する。
【００４１】
また、プリンタ３０において、制御部３６には、通信Ｉ／Ｆ部３１を通じて任意のクライアント端末１０から印刷指示を受信し、該印刷指示に含まれる印刷対象の文書情報（画像データ）から画像処理部３３により印刷データを生成させると共に、該印刷データを基に画像形成部３４で記録用紙に画像を印刷し、印刷済用紙として排出トレイ４０に排出させる印刷制御を行う印刷制御部３６１、印刷制御部３６１による印刷ジョブ（印刷指示された文書）の印刷に際して、該印刷ジョブの印刷履歴を生成、管理する印刷履歴管理部３６２、印刷履歴管理部３６２により管理される印刷履歴に基づきオペレーション・パネル３５上に印刷履歴を表示する印刷履歴表示制御部３６３、用紙有無検知センサ４１の検知出力に基づき排出トレイ４０からの印刷済用紙の持ち去りが検出された場合、印刷履歴管理部３６２が管理する印刷履歴に基づき、排出トレイ４０から他の利用者（ユーザ）の印刷済用紙を誤って持ち去る誤持ち去りを警告するための予め設定した警告条件を満たすか否かを判定し、該警告条件を満たすと判定された場合、誤持ち去りを警告する制御を行なう誤持去り警告制御部３６４が設けられる。
【００４２】
この印刷システムでは、複数のユーザが、それぞれクライアント端末１０を用いて例えば１台のプリンタ３０を共有して文書情報の印刷を行う。
【００４３】
これにより、各ユーザによる印刷指示操作と、該印刷指示に基づき文書が印刷された印刷済用紙の排出トレイ４０からの各ユーザの持ち去りのタイミングによっては、該排出トレイ４０に複数のユーザの印刷済用紙が混在する状況も生じる。
【００４４】
本実施例に係る印刷システムにおいて、プリンタ３０は、複数のユーザの印刷済用紙が混在する状況下において、あるユーザが排出トレイ４０から印刷済用紙を持ち去ろうとする際、他のユーザの印刷済用紙が混在している可能性がある場合には、該他のユーザの印刷済用紙を誤って持ち去る危険性があることを警告する誤持ち去り警告処理機能を有する。
【００４５】
図４は、本実施例の印刷システムの誤持ち去り警告処理における各クライアント端末１０とプリンタ３０間の制御シーケンスを示す図である。
【００４６】
図４において、プリンタ３０は、待機状態にある時にはオペレーション・パネル３５に待機状態であることを示す動作状態表示（印刷可能である旨の表示）を行なっている（ステップＳ３０１）。
【００４７】
この待機状態において、例えば、ユーザＡがクライアント端末１０−１（ＰＣ１）においてアプリケーション部１４１を立ち上げ、入力／操作部１１を操作して所望の文書例えばＡＡＡの印刷指示を行うと（ステップＳ１０１１）、印刷ジョブ生成部１４２により該文書ＡＡＡの印刷を指示する印刷ジョブが生成され、プリンタ３０に送出される（ステップＳ１０２１）。
【００４８】
これに対し、プリンタ３０は、ＰＣ１から上記印刷ジョブを受信すると、印刷制御部３６１が該印刷ジョブに基づき画像処理部３３により印刷データを生成させ、該印刷データを画像形成部３４に送出して上記文書ＡＡＡの画像を記録用紙に印刷して排出トレイ４０に排出する印刷処理を行う（ステップＳ３１１１）。
【００４９】
この印刷処理中、制御部３６は、該印刷処理の進行状況に対応する動作状態をオペレーション・パネル３５に表示し、該印刷ジョブの印刷が完了した際には、印刷履歴管理部３６２が該印刷ジョブの印刷履歴を生成して保持すると共に、印刷履歴表示制御部３６３が該印刷履歴をオペレーション・パネル３５に表示する（ステップＳ３１２１）。
【００５０】
なお、ステップＳ３１２１の処理において、印刷履歴管理部３６２は、印刷完了した印刷ジョブに関する印刷文書名、印刷枚数、印刷時間、印刷指示元のユーザ（ユーザ識別情報）等の各情報を含む印刷履歴を新たに生成し、該生成した印刷履歴を保持する。
【００５１】
また、プリンタ３０において、制御部３６は、文書ＡＡＡの印刷ジョブの印刷処理が完了すると、この時の自装置の動作状態（印刷が完了し印刷済用紙の取出しが可能である状態）を示す動作状態情報を印刷指示元のＰＣ１に送出する（ステップＳ３１３１）。
【００５２】
他方、ＰＣ１は、文書ＡＡＡの印刷指示の送出後、プリンタ３０から上記動作状態情報を受信すると、印刷装置状態管理制御部１４３が、該動作状態情報に基づき表示部１２に当該動作状態を表示する（ステップＳ１０３１）。
【００５３】
その後、ユーザＡがプリンタ３０の排出トレイ４０から印刷済用紙を取りに行く前にユーザＢがクライアント端末１０−２（ＰＣ２）においてアプリケーション部１４１を立ち上げ、入力／操作部１１を操作して所望の文書例えばＢＢＢの印刷指示を行うと（ステップＳ１０１２）、印刷ジョブ生成部１４２により該文書ＢＢＢの印刷を指示する印刷ジョブが生成され、プリンタ３０に送出される（ステップＳ１０２２）。
【００５４】
これにより、プリンタ３０は、ＰＣ１から印刷ジョブを受け付けた場合と同様、印刷制御部３６１が該印刷ジョブに基づき上記文書ＢＢＢを記録用紙に印刷して排出トレイ４０に排出する印刷処理を行い（ステップＳ３１１２）、この印刷が完了すると、印刷履歴管理部３６２が印刷ジョブの印刷履歴を生成、保持して印刷履歴を更新し、かつ、印刷履歴表示制御部３６３が該更新後の印刷履歴をオペレーション・パネル３５に表示する（ステップＳ３１２２）。
【００５５】
また、プリンタ３０では、文書ＢＢＢの印刷ジョブの印刷処理が完了すると、制御部３６は、この時の自装置の動作状態（印刷が完了し印刷済用紙の取出しが可能である状態）を示す動作状態情報を印刷指示元のＰＣ２に送出する（ステップＳ３１３２）。
【００５６】
ＰＣ２では、文書ＢＢＢの印刷指示の送出後、プリンタ３０から上記動作状態情報を受信すると、印刷装置状態管理制御部１４３が、該動作状態情報に基づき表示部１２に当該動作状態を表示する（ステップＳ１０３２）。
【００５７】
このように、排出トレイ４０にユーザＡとユーザＢの印刷済用紙が混在して排出されている状態で、例えば、先に印刷を完了したユーザＡがプリンタ３０まで行って排出トレイ４０から全ての印刷済用紙を取り去る操作を行う場合がある。
【００５８】
この時、プリンタ３０において、誤持去り警告制御部３６４では、用紙有無検知センサ４１の検知出力に基づき印刷済用紙が持ち去られたことが検知される（ステップＳ３１４）。
【００５９】
印刷済用紙の持ち去りが検知されると、誤持去り警告制御部３６４は、印刷履歴管理部３６２が当該時点で管理している印刷履歴に基づき、誤持ち去りを警告する（排出トレイ４０から他のユーザの印刷済用紙を誤って持ち去る誤持ち去りを警告する）ための警告条件を満たすか否かを判定する（ステップＳ３１５）。
【００６０】
本実施例では、上記警告条件として、例えば、“異なる複数のユーザの印刷ジョブが存在する場合に警告する”という条件が設定されており、この例のように、ユーザＡ、Ｂからの印刷ジョブが完了した状態で全印刷済用紙の持ち去りが検出されるケースでは、印刷履歴中に複数のユーザ（ユーザＡ，Ｂ）の印刷ジョブが存在することにより警告条件を満足すると判定され、当該警告処理が実施される（ステップＳ３１６）。
【００６１】
この警告は、例えば、他ユーザの印刷済用紙を誤持ち出しした可能性がある旨を示す警告メッセージをオペレーション・パネル３５に表示すると共に、上記警告メッセージ（警告情報）をＰＣ１，ＰＣ２に送出し（ステップＳ３１７１，Ｓ３１７２）、ＰＣ１，ＰＣ２において、それぞれ、印刷装置状態管理制御部１４３が該警告メッセージを表示部１２に表示する（ステップＳ１０４１，１０４２）ことで実現できる。
【００６２】
上記誤持ち去り警告の実施中、誤持去り警告制御部３６４は、警告停止条件が成立するか否かを監視する。
【００６３】
ここで、警告停止条件は、例えば、印刷履歴管理部３６２により管理される印刷履歴が単一ユーザの印刷ジョブのみ存在するという条件である。
【００６４】
これにより、この例では、例えば、ユーザＡが、一旦取り出したユーザＢの印刷済用紙を排出トレイ４０に戻し、オペレーション・パネル３５に表示されている印刷履歴中から自分の印刷ジョブを消去することにより警告条件が成立すると判断すると（ステップＳ３１８）、当該誤持ち去り警告を停止する（ステップＳ３１９）。
【００６５】
誤持ち去り警告を停止するのに合わせて、プリンタ３０は、ＰＣ１，ＰＣ２にこの時のプリンタ３０の動作状態を示す動作状態情報を送出する（ステップＳ３２０１，Ｓ３２０２）。
【００６６】
これにより、ＰＣ１では、印刷装置状態管理制御部１４３が表示部１２に表示されている警告メッセージを消し（ステップＳ１０５１）、ＰＣ２では、印刷装置状態管理制御部１４３が表示部１２に表示している警告メッセージに代えて印刷済用紙の取り出しを促すメッセージを表示する状態に戻す（ステップＳ１０５２）。
【００６７】
図５は、本実施例に係るプリンタ３０の誤持ち去り警告処理（図４のステップＳ３１４〜３１９参照）動作を示すフローチャートである。
【００６８】
図５において、ステップＳ４０１〜Ｓ４０４の処理は図４のステップＳ３１１１，Ｓ３１２１、及びＳ３１１２，Ｓ３１２２の処理に対応し、ステップＳ４１１及びＳ４１２の処理は図４のステップＳ３１４の処理に対応し、ステップＳ４１３及びＳ４１４の処理は図４のステップＳ３１５の処理に対応し、ステップＳ４１５、Ｓ４１６、Ｓ４１７の各処理は、それぞれ、図４のステップＳ３１６、Ｓ３１８、Ｓ３１９の各処理に対応する。
【００６９】
図５に示すように、プリンタ３０では、図４におけるステップＳ３１１１，Ｓ３１１２，…での各印刷ジョブの実行に合わせて、それぞれ、同、ステップＳ３１２１，Ｓ３１２２，…で当該各印刷ジョブの印刷履歴を生成、保持する処理を続けながら（ステップＳ４０１〜Ｓ４０４）、誤持去り警告制御部３６４が、用紙有無検知センサ４１の検知出力を取り込み（ステップＳ４１１）、排出トレイ４０から印刷済用紙が持ち去られたか否か（検知出力が用紙有りから用紙無しに変わったか否か）を監視する（ステップＳ４１２）。
【００７０】
ここで、用紙有無検知センサ４１の検知出力に基づき印刷済用紙が持ち去られたことが検知された場合（ステップＳ４１２ＹＥＳ）、誤持去り警告制御部３６４は、印刷履歴管理部３６２が管理する印刷履歴を読出し（ステップＳ４１３）、該印刷履歴に基づき、予め設定している誤持ち去り警告条件を満足するか否かを判定する（ステップＳ４１４）。
【００７１】
ステップＳ４１で判定する上記誤持ち去り警告条件としては、“印刷履歴に異なる複数ユーザの印刷ジョブ（複数のユーザの印刷文書）が存在する”ことが予め設定されている。
【００７２】
これにより、印刷履歴管理部３６２が管理する印刷履歴に単一のユーザの印刷ジョブしか含まれていないことにより誤持ち去り警告条件を満足しないと判定された場合（ステップＳ４１４ＮＯ）、当該誤持ち去り警告処理を終了する。
【００７３】
これに対し、印刷履歴管理部３６２が管理する印刷履歴に異なる複数のユーザの印刷ジョブが含まれていることにより誤持ち去り警告条件を満足すると判定された場合（ステップＳ４１４ＹＥＳ）、誤持ち去り警告を行う（ステップＳ４１５）。
【００７４】
誤持ち去り警告の処理は、具体的には、例えば、オペレーション・パネル３５上に、誤持ち去りの危険がある旨の警告メッセージを表示することにより実現できる。
【００７５】
また、プリンタ３０での上記警告メッセージの表示に合わせ、印刷履歴管理部３６２が管理する印刷履歴中の各印刷ジョブからそれぞれのユーザを特定し、該各ユーザが用いる各クライアント端末１０の表示部１２に、それぞれ、誤持ち去りの危険がある旨の警告メッセージを表示する制御を併用しても良い。
【００７６】
上記ステップＳ４１５での誤持ち去り警告の実施中、誤持去り警告制御部３６４は、当該警告の停止条件が成立するか否かをチェックする（ステップＳ４１６）。
【００７７】
ここで、警告停止条件が成立しない間は（ステップＳ４１６ＮＯ）、ステップＳ４１５での誤持ち去り警告を続行する。
【００７８】
これに対して、警告停止条件が成立すると判定された場合（ステップＳ４１６ＹＥＳ）、誤持ち去りの警告を停止する（ステップＳ４１７）。
【００７９】
なお、ステップＳ４１６での監視対象となる警告停止条件を成立させるためには、ユーザは、例えば、オペレーション・パネル３５を操作して印刷履歴を表示させたうえで、自分の印刷ジョブの印刷履歴を削除する操作を行う必要がある。
【００８０】
この印刷履歴の消去によって警告停止条件が成立したと判定（ステップＳ４１６）した誤持去り警告制御部３６４は、上記ステップＳ４１７での警告停止処理において、オペレーション・パネル３５上に、誤持ち去りの危険がある旨の警告メッセージに代えて、削除されずに残された他ユーザの印刷ジョブを含む印刷履歴を表示する状態に制御する。
【００８１】
また、これに合わせて、それまで誤持ち去りの危険がある旨の警告メッセージが表示されていた各ユーザのクライアント端末１０のうち、印刷履歴から自分の印刷ジョブを削除したユーザのクライアント端末１０については該警告メッセージをメッセージを消去し、他のユーザのクライアント端末１０については、印刷済用紙の取り出しを促す旨のメッセージを表示する等、警告が不要な時の動作状態表示に戻す。
【００８２】
なお、この例では、二人のユーザ（ユーザＡ，Ｂ）が印刷指示した印刷ジョブの印刷履歴が残っている状態でユーザＡが自分の印刷履歴を削除することにより警告停止条件（＝単一ユーザの印刷履歴のみ存在）が成立すると判定される例について述べたが、３人以上のユーザの印刷ジョブの印刷履歴が残っている状態から当該印刷停止条件が成立すること判定し、警告を停止する動作を実現するためには以下の制御機能が必要である。
【００８３】
すなわち、本実施例のプリンタ３０（実施例２のプリンタ３０Ｂにおいても同じ）は、例えば、三人のユーザ（ユーザＡ，Ｂ，Ｃ）がそれぞれ印刷指示した印刷ジョブに基づく印刷済用紙が排出トレイ４０に混在しており、プリンタ３０のオペレーション・パネル３５に誤持去りの警告メッセージが表示され、かつ、各ユーザＡ，Ｂ，ＣのそれぞれのＰＣ１，ＰＣ２，ＰＣ３に誤持去りの警告メッセージが表示されている状態で、オペレーション・パネル３５に表示された警告メッセージに基づき、最初に自分の印刷済用紙のみを正しく取り去ったユーザが自分の印刷履歴を削除する操作を行った場合、または、上記各ユーザＡ，Ｂ，Ｃが、それぞれのＰＣ１，ＰＣ２，ＰＣ３に表示される警告メッセージに基づき印刷履歴の消去操作（例えば、警告メッセージと共に表示される“ＯＫ”ボタンの押下）を行った場合、印刷履歴管理部３６２により管理される該当するユーザの印刷履歴を消去する消去機能と、上記消去機能による印刷履歴の消去により、印刷履歴管理部３６２が管理する印刷履歴が単一ユーザのみの印刷履歴となった場合、オペレーション・パネル３５における警告メッセージの表示を停止し、かつ、ＰＣ１，ＰＣ２，ＰＣ３に表示される警告メッセージの表示指示を停止（警告メッセージの表示を止める）する警告停止機能とが備わる。
【００８４】
なお、上記機能を有する本実施例のプリンタ３０（実施例２のプリンタ３０Ｂも同様）では、誤持去り警告により自分の印刷済用紙のみを正しく持去った時にはオペレーション・パネル３５上または自分のＰＣを用いて自分の印刷履歴を削除するという前提で運用されるものとし、かかる前提で運用される限り、印刷履歴管理部３６２は、印刷処理により印刷した文書で、排出トレイ４０に排出された印刷済用紙の取り去り前の文書の印刷履歴を管理することになる。
【００８５】
図６は、図４に示す一連の処理に係るプリンタ３０、ＰＣ１及びＰＣ２での状態表示の流れと表示内容の具体例を示す概念図である。
【００８６】
図６において、各表示内容に併せ付す括弧内の番号は該各表示を行う図４の各処理ステップの番号を示している。
【００８７】
図６に示すように、プリンタ３０は、電源オン後、アイドル状態（待機状態）に入ると、オペレーション・パネル３５に、“インサツデキマス  完了ＪＯＢ：０”という内容の動作状態表示を行う（図４のステップＳ３０１参照）。
【００８８】
次いで、ユーザＡによりＰＣ１から文書ＡＡＡを１５枚するとの印刷指示がなされ、プリンタ３０が該印刷指示に基づき当該印刷ジョブの印刷を完了すると、“インサツデキマス  完了ＪＯＢ：１  ＡＡＡ  １５マイ  １０：１５”という内容の印刷履歴表示を行う（図４のステップＳ３１２１参照）。
【００８９】
ここで、「ＡＡＡ」は文書名、「１５マイ」は印刷枚数、「１０：１５」は印刷完了時間を表している。
【００９０】
またこの時、プリンタ３０からＰＣ１に対して動作状態情報が送られ、該ＰＣ１では、表示部１２に、“印刷が終了しました。印刷済み用紙を取り除いてください。”という内容の動作状態表示を行う（図４のステップＳ１０３１参照）。
【００９１】
次に、ユーザＢによりＰＣ２から文書ＢＢＢを１枚するとの印刷指示がなされ、プリンタ３０が該印刷指示に基づき当該印刷ジョブの印刷を完了すると、 “インサツデキマス  完了ＪＯＢ：２  ＡＡＡ  １５マイ  １０：１５  ＢＢＢ  １マイ  １０：３０”という内容の印刷履歴表示を行う（図４のステップＳ３１２２参照）。
【００９２】
ここで、「ＢＢＢ」は文書名、「１マイ」は印刷枚数、「１０：３０」は印刷完了時間を表している。
【００９３】
またこの時、プリンタ３０からＰＣ２に対して動作状態情報が送られ、該ＰＣ２では、ＰＣ１と同様、表示部１２に、“印刷が終了しました。印刷済み用紙を取り除いてください。”という内容の動作状態表示を行う（図４のステップＳ１０３２参照）。
【００９４】
上記文書ＢＢＢの印刷ジョブが完了した時点で、プリンタ３０の排出トレイ４０には、ユーザＡによる文書ＡＡＡの１５枚の印刷済用紙と、ユーザＢによる文書ＢＢＢの１枚の印刷済用紙とが混在した状態にある。
【００９５】
これにより、その後、ＰＣ１のユーザＡがプリンタ３０のそばに行って排出トレイ４０から全印刷済用紙を取り去ると、プリンタ３０は、図４のステップＳ３１６での誤持ち去り警告として、“タニンノインサツブツヲ  トリノゾキマシタ  カクニンシテクダサイ”という内容の警告メッセージを表示する（図４のステップＳ３１６参照）。
【００９６】
またこの時、プリンタ３０からＰＣ１、ＰＣ２に対して警告情報が送られ、これにより、ＰＣ１、ＰＣ２は、それぞれ、表示部１２に、“他人の印刷済み用紙を取り除いた可能性があります。確認してください。”という内容の警告メッセージ表示を行う（図４のステップＳ１０４１，１０４２参照）。
【００９７】
その後、ユーザＡは、プリンタ３０における誤持ち去り警告メッセージに気付いて、一旦取り出した全印刷済用紙の中身を調べて他人（ユーザＢ）の印刷済用紙が混在していることを確認する。
【００９８】
これにより、ユーザＡは、他人の印刷済用紙を排出トレイ４０に戻した後、警告停止操作を行う。
【００９９】
警告停止操作として、ユーザＡは、例えば、プリンタ３０のオペレーション・パネル３５を操作してこの時の印刷履歴を表示させ、この印刷履歴の中から、自分の印刷ジョブの印刷履歴を削除する操作を行う。
【０１００】
これにより、プリンタ３０は、上記ステップＳ３１６で開始した誤持ち去り警告を停止する。
【０１０１】
具体的には、オペレーション・パネル３５において、誤持ち去り警告メッセージを表示している状態から、“インサツデキマス  完了ＪＯＢ：２  ＢＢＢ  １マイ  １０：３０”という内容の動作状態表示に戻す（図４のステップＳ３１９参照）。
【０１０２】
またこの時、プリンタ３０からＰＣ１に対して動作状態表示を消去する制御情報が送られ、ＰＣ１は、表示部１２に表示している“他人の印刷済み用紙を取り除いた可能性があります。確認してください。”という内容の動作状態表示を消去する（図４のステップＳ１０５１参照）。
【０１０３】
これと同時に、プリンタ３０からＰＣ２に対して動作状態情報が送られ、ＰＣ２は、表示部１２にステップＳ１０４２における誤持ち去り警告メッセージを表示している状態から、“印刷が終了しました。印刷済み用紙を取り除いてください。”という内容の動作状態表示に戻す（図４のステップＳ１０５２参照）。
【０１０４】
なお、上記動作説明では、誤持ち去り警告（図４のＳ３１６、図５のＳ４１５参照）として警告メッセージを表示するようにしたが、これに限らず、該警告メッセージを表示すると共に、該警告に対応する警告音を鳴動する動作を併せ実施するようにしても良い。
【０１０５】
また、上記動作説明では、印刷済用紙を取りに行ったユーザがプリンタ３０での誤持ち去り警告に気付いて自分の印刷ジョブを削除することにより警告を停止するようにしたが、図４のＳ１０４１（あるいは、Ｓ１０４２）で自分が使用するＰＣ１（同、ＰＣ２）に表示される警告メッセージ中の“ＯＫ”ボタンを押下することにより、プリンタ３０における該当する印刷ジョブを印刷履歴から自動的に消去して誤持ち去り警告を停止するようにしても良い。
【実施例２】
【０１０６】
実施例２に係る印刷システムは、実施例１に係るシステム構成（図１参照）中、プリンタ３０に代えてプリンタ３０Ｂを設置して構成される。
【０１０７】
図７は、実施例２に係るプリンタ３０Ｂの機能構成を示すブロック図である。
【０１０８】
プリンタ３０Ｂにおいて、プリンタ３０（図３参照）における各機能ブロックと同一の機能を果たす機能ブロックには同一の符号を付している。
【０１０９】
プリンタ３０Ｂにおいて、制御部３６ｂの構成要素である誤持去り警告制御部３６４ｂは、印刷履歴管理部３６２によって管理される印刷履歴中、複数ユーザの完了印刷ジョブ間に所定の条件が成立する場合に、排出トレイ４０からの印刷済用紙の誤持ち去りの警告を行う処理機能を有する。
【０１１０】
この誤持ち去り警告処理機能によれば、各印刷ジョブの印刷枚数の差に閾値を設定しておき、上記所定条件として、各ユーザの印刷ジョブの印刷枚数の差が設定値（閾値）を超えたことが検出された場合に警告を行ったり、あるユーザの印刷ジョブの間に他のユーザの印刷ジョブが実施されたという条件を上記所定条件として設定しておき、該条件が検出された場合に誤持ち去り警告を行う等の運用ができる。
【０１１１】
このように、誤持去り警告制御部３６４ｂには、排出トレイ４０に排出される印刷出力用紙の持ち去り検知に依存しない誤持ち去り警告処理機能を有する。これにより、本実施例のプリンタ３０Ｂは、実施例１に係るプリンタ３０の必須構成要件である用紙有無検知センサ４１を持たない構成となっている。
【０１１２】
プリンタ３０Ｂにおける上記以外の各機能ブロックは、実施例１に係るプリンタ３０における同一符号の各機能ブロックと同様のものである。
【０１１３】
図８は、本実施例に係る印刷システムの誤持ち去り警告処理における各クライアント端末１０とプリンタ３０Ｂ間の制御シーケンスを示す図である。
【０１１４】
図８において、実施例１に係る印刷システムの誤持ち去り警告処理（図４参照）中の各処理ステップと同様の処理ステップには同様の符号を付している。
【０１１５】
図８においても、実施例１（図４参照）と同様、ユーザＡ，Ｂが、それぞれ、ＰＣ１，ＰＣ２を用いてプリンタ３０Ｂに文書ＡＡＡ，ＢＢＢの印刷を指示し、該各印刷ジョブの印刷済用紙が排出トレイ４０に混在する状態で誤持ち去り警告を行う場合を想定している。
【０１１６】
従がって、図８において、プリンタ３０Ｂが、ＰＣ１からの文書ＡＡＡ印刷ジョブを印刷出力し、次いで、ＰＣ２からの文書ＢＢＢの印刷ジョブを印刷出力するまでのＰＣ１、ＰＣ２及びプリンタ３０Ｂでの各処理は実施例１（図４参照）と同様であり、これら各処理の詳しい説明は割愛する。
【０１１７】
ここでは、ステップＳ３１４ｂ以降の本実施例特有の処理動作について詳述する。
【０１１８】
本実施例のプリンタ３０Ｂでは、文書ＡＡＡの印刷ジョブの印刷出力用紙が排出トレイ４０に排出されている状態で、ＰＣ２から文書ＢＢＢの印刷ジョブを受付けると、ＰＣ１から印刷ジョブを受付けた場合と同様、印刷制御部３６１が該印刷ジョブの印刷処理を実施する（ステップＳ３１１２）。
【０１１９】
ここで、該印刷処理が完了するまでは、オペレーション・パネル３５に、当該印刷ジョブが印刷中である旨の動作状態表示を行ない、該印刷ジョブの印刷が完了すると、印刷履歴管理部３６２が該印刷ジョブの印刷履歴を生成、保持することにより印刷履歴を更新し、かつ、印刷履歴表示制御部３６３が該更新後の印刷履歴をオペレーション・パネル３５に表示する（ステップＳ３１２２）。
【０１２０】
また、プリンタ３０Ｂでは、文書ＢＢＢの印刷ジョブが印刷完了すると、誤持去り警告制御部３６４ｂが、印刷履歴管理部３６２が管理する印刷履歴に異なる複数のユーザの完了印刷ジョブ（文書ＡＡＡの印刷ジョブ１、及び文書ＢＢＢの印刷ジョブ２）があることを認識し（ステップＳ３１４ｂ）、該認識結果をトリガとして、誤持ち去りを警告するための警告条件を満たすか否かを判定する。
【０１２１】
本実施例では、上記警告条件として、例えば、“異なる複数のユーザの印刷ジョブ間の印刷枚数の差が所定枚数（Ｎ：予め設定した閾値）を越える場合に警告する”という条件が設定されており、この例に挙げるように、ユーザＡ（ＰＣ１）からの文書ＡＡＡの印刷ジョブ（印刷枚数１５枚）と、ユーザＢ（ＰＣ２）からの文書ＢＢＢの印刷ジョブ（印刷枚数１枚）の完了時には、ユーザＡ、Ｂの印刷ジョブの印刷枚数の差が所定枚数（例えば、閾値＝１０枚）を超えることにより警告条件を満足すると判定され（ステップＳ３１５ｂ）、当該誤持ち去り警告処理が実施される（ステップＳ３１６ｂ）。
【０１２２】
この誤持ち去り警告は、例えば、文書ＡＡＡ及び文書ＢＢＢの各印刷ジョブが完了した旨の印刷履歴をオペレーション・パネル３５に表示しながら、スピーカ（図示せず）を駆動し、他ユーザの印刷済用紙を誤持ち出しした可能性がある旨を示す警告音を鳴動させることにより実現できる。
【０１２３】
その際、上記警告音の鳴動に合わせ、印刷履歴管理部３６２が管理する印刷履歴中の各印刷ジョブからそれぞれのユーザを特定し、該各ユーザが用いる各クライアント端末１０（ＰＣ１，ＰＣ２）に他ユーザの印刷済用紙を誤持ち出しした可能性がある旨を示す警告メッセージ（警告情報）を送出し（ステップＳ３１７１，Ｓ３１７２）、ＰＣ１，ＰＣ２において、それぞれ、印刷装置状態管理制御部１４３が該警告メッセージを表示部１２に表示する（ステップＳ１０４１，１０４２）ようにしても良い。
【０１２４】
プリンタ３０Ｂにおいて上記誤持ち去り警告音が鳴動されている状態で、例えば、先に印刷を完了したユーザＡが、自分の印刷済用紙を取り出すためにプリンタ３０Ｂまで行った場合、鳴動中の警告音を聞くことになる。
【０１２５】
この警告音を聞いたユーザＡは、他ユーザの印刷済用紙がある可能性があることに気付かされ、排出トレイ４０に排出された印刷済用紙の画像内容を入念にチェックしたうえで、他ユーザ（ユーザＢ）の印刷済用紙を排出トレイ４０に残し、自分の印刷済用紙のみを持ち去るよう振舞うことができる。
【０１２６】
一方、上記ステップＳ３１６ｂでの誤持ち去り警告の開始後、誤持去り警告制御部３６４ｂは、当該警告の停止条件（＝単一ユーザの印刷履歴のみ存在）が成立するか否かをチェックする。
【０１２７】
ここで、上記警告停止条件が成立と判定された場合は（ステップＳ３１８）、ステップＳ３１６ｂで開始した警告音の鳴動を停止するように制御し、誤持ち去り警告を停止する（ステップＳ３１９）。
【０１２８】
なお、ステップＳ３１８において、誤持去り警告制御部３６４ｂは、上記警告を停止する操作として、例えば、上記警告条件である上記閾値以上の印刷枚数の差を生じた各印刷ジョブのいずれかが該当するユーザＡ，Ｂにより削除されたか否かを監視し、該印刷ジョブ削除操作がなされない間は上警告音の鳴動を続行する。
【０１２９】
これにより、自分の印刷済用紙を取りにプリンタ３０Ｂまで行ったユーザＡは、鳴動中の警告音を停止させるためには、例えば、オペレーション・パネル３５を操作して印刷履歴削除モードに設定し、現在の印刷履歴中から自分の印刷ジョブを削除する操作を行う必要がある。
【０１３０】
この印刷ジョブ削除操作が行われることにより、警告停止条件が成立すると判定（ステップＳ３１８）した誤持去り警告制御部３６４ｂは、上記ステップＳ３１９での警告停止処理として警告音の鳴動を停止するが、該警告停止に合わせて、オペレーション・パネル３５を、削除されずに残された他ユーザ（ユーザＢ）の印刷ジョブを含む印刷履歴を表示する状態に制御する。
【０１３１】
また、上記ステップＳ３１６ｂでの誤持ち去り警告開始に合わせて、完了印刷ジョブの発行元の各ユーザのＰＣ１、ＰＣ２に警告メッセージを表示している場合、誤持去り警告制御部３６４ｂは、上記ステップＳ３１８で印刷ジョブの削除操作がなされるのを認識すると、該警告メッセージを表示している各ユーザのクライアント端末１０のうち、印刷履歴から自分の印刷ジョブを削除したユーザ（ユーザＡ）のクライアント端末１０については該警告メッセージを消去し（ステップＳ１０５１）、他のユーザ（ユーザＢ）のクライアント端末１０については、印刷済用紙の取り出しを促す旨のメッセージを表示する等、警告が不要な時の動作状態表示に戻す（ステップＳ１０５２）。
【０１３２】
なお、ステップＳ３１８において、誤持去り警告制御部３６４ｂは、上記警告を停止する操作として、例えば、ＰＣ１、ＰＣ２において、表示中の警告メッセージ中の“ＯＫ”ボタンが押下されたことを監視するようにしても良い。
【０１３３】
この場合、ユーザＡ，Ｂが、ＰＣ１，ＰＣ２で表示中の鳴動中の警告メッセージ中の“ＯＫ”ボタンを押下する操作を行うことによりプリンタ３０Ｂでの警告音の鳴動を停止させることができる。
【０１３４】
図９は、本実施例に係るプリンタ３０Ｂの誤持ち去り警告処理（図８のステップＳ３１４ｂ〜Ｓ３１９参照）動作を示すフローチャートである。
【０１３５】
図９において、ステップＳ５０１〜Ｓ５０４の処理は図８のステップＳ３１１１，Ｓ３１２１、及びＳ３１１２，Ｓ３１２２の処理に対応し、ステップＳ５０５、Ｓ５０６、Ｓ５０７、Ｓ５０８、Ｓ５０９の各処理は、それぞれ、図８のステップｓ３１４ｂ、Ｓ３１５ｂ、Ｓ３１６ｂ、Ｓ３１８、Ｓ３１９の各処理に対応する。
【０１３６】
なお、この例では、誤持ち去り警告を行う警告条件として、“各ユーザの印刷ジョブの枚数差がＮ（例えば、１０）枚の時に警告を行う”という第１の警告条件、及び“あるユーザの印刷ジョブの間に他ユーザの印刷ジョブが介在する時に警告を行う”という第２の警告条件が予め設定されているものとする。
【０１３７】
図９に示すように、プリンタ３０Ｂでは、図８におけるステップＳ３１１１，Ｓ３１１２，…でのようにクライアント端末１０−１，１０−２から印刷ジョブを受信すると（ステップＳ５０１ＹＥＳ）、該印刷ジョブの印刷を実行し（ステップＳ５０２）、該印刷ジョブが完了する（ステップＳ５０３ＹＥＳ）と、図８におけるステップＳ３１２１，Ｓ３１２２，…でのように印刷履歴管理部３６２が各印刷ジョブの印刷履歴を生成、保持する（ステップＳ５０４）。
【０１３８】
引き続き、誤持去り警告制御部３６４ｂは、印刷履歴管理部３６２が当該時点で管理している印刷履歴を参照し、異なる複数のユーザの印刷ジョブがあるかどうかをチェックする（ステップＳ５０５）。
【０１３９】
このチェックの結果、異なる複数のユーザの印刷ジョブがない場合（ステップＳ５０５ＮＯ）、処理を終了し、次の印刷ジョブの受付状態に移行する。
【０１４０】
これに対して、上記チェックの結果、異なる複数のユーザの印刷ジョブがある場合（ステップＳ５０５ＹＥＳ）、次いで、誤持去り警告制御部３６４ｂは、当該各ユーザの印刷ジョブに基づき、予め設定している誤持ち去り警告条件を満足するか否かの判定を行う（ステップＳ５０６）。
【０１４１】
この例では、ステップＳ５０６において、誤持去り警告制御部３６４ｂは、上述した第１の警告条件に基づき、各ユーザの印刷ジョブの印刷枚数の差を算出し、該各ユーザの印刷枚数の差が予め設定した枚数を超えるか否かをチェックする。
【０１４２】
また、上述した第２の警告条件に基づき、各ユーザの印刷ジョブの実行順番を調べ、あるユーザの印刷ジョブの間に他ユーザの印刷ジョブが実施されているか否かをチェックする。
【０１４３】
そして、上記第１及び第２の警告条件のチェックの結果、各ユーザの印刷ジョブの枚数差が設定値＝Ｎを超える場合、またはユーザの印刷ジョブの間に他ユーザの印刷ジョブが実施されている場合、若しく当該両方の警告条件が成立する場合、誤持去り警告制御部３６４ｂは警告条件を満たすと判定し（ステップＳ５０６ＹＥＳ）、誤持ち去り警告を行う（ステップＳ５０７）。
【０１４４】
誤持ち去り警告の処理は、具体的には、例えば、オペレーション・パネル３５上に、現時点における印刷履歴を表示した状態で、誤持ち去りの危険がある旨を示す警告音を鳴動させることにより実現できる。
【０１４５】
また、プリンタ３０Ｂでの上記警告音の鳴動に合わせ、印刷履歴管理部３６２が管理する印刷履歴中の各印刷ジョブからそれぞれのユーザを特定し、該各ユーザが用いる各クライアント端末１０の表示部１２に、それぞれ、誤持ち去りの危険がある旨の警告メッセージを表示する制御を併せ実施しても良い。
【０１４６】
上記ステップＳ５０７での誤持ち去り警告の実施中、誤持去り警告制御部３６４ｂは、当該誤持ち去り警告を停止する条件が成立するか否かをチェックする（ステップＳ５０８）。
【０１４７】
ここで、上記警告停止条件（＝単一ユーザの印刷履歴のみ存在）が成立しない間は（ステップＳ５０８ＮＯ）、ステップＳ５０７での誤持ち去り警告を続行する。
【０１４８】
これに対して、上記警告停止条件が成立すると判定された場合（ステップＳ５０８ＹＥＳ）、誤持ち去りの警告を停止する（ステップＳ５０９）。
【０１４９】
なお、ステップＳ５０８での監視対象となる警告停止条件を成立させるためには、ユーザは、例えば、オペレーション・パネル３５を操作して印刷履歴を表示させたうえで、自分の印刷ジョブの印刷履歴を削除する操作を行う必要がある。
【０１５０】
この印刷履歴削除操作によって警告停止条件が成立したと判定（ステップＳ５０８ＹＥＳ）した誤持去り警告制御部３６４ｂは、上記ステップＳ５０９での警告停止処理において、上記警告音の鳴動を停止し、オペレーション・パネル３５上に、削除されずに残された印刷ジョブを含む印刷履歴を表示する状態に制御する。
【０１５１】
また、これに合わせて、それまで持ち去りの危険がある旨の警告メッセージが表示されていた各ユーザのクライアント端末１０のうち、印刷履歴から自分の印刷ジョブを削除したユーザのクライアント端末１０についてはメッセージを消去し、他のユーザのクライアント端末１０については、印刷済用紙の取り出しを促す旨のメッセージを表示する等、警告が不要な時の動作状態表示に戻し、処理を終了する。
【０１５２】
図１０は、図８に示す一連の処理に係るプリンタ３０Ｂ、ＰＣ１及びＰＣ２での状態表示の流れと表示内容の具体例を示す概念図である。
【０１５３】
図１０において、各表示内容に併せ付す括弧内の番号は該各表示を行う図８の各処理ステップの番号を示している。
【０１５４】
図１０に示すように、プリンタ３０Ｂは、電源オン後、アイドル状態（待機状態）に入ると、オペレーション・パネル３５に、“インサツデキマス  完了ＪＯＢ：０”という内容の動作状態表示を行う（図８のステップＳ３０１参照）。
【０１５５】
次いで、ユーザＡによりＰＣ１から文書ＡＡＡを１５枚するとの印刷指示がなされ、プリンタ３０Ｂが該印刷指示に基づき当該印刷ジョブの印刷を完了すると、“インサツデキマス  完了ＪＯＢ：１  ＡＡＡ  １５マイ  １０：１５”という内容の印刷履歴表示を行う（図８のステップＳ３１２１参照）。
【０１５６】
またこの時、プリンタ３０ＢからＰＣ１に対して動作状態情報が送られ、該ＰＣ１は、表示部１２に、“印刷が終了しました。印刷済み用紙を取り除いてください。”という内容の動作状態表示を行う（図８のステップＳ１０３１参照）。
【０１５７】
次に、ユーザＢによりＰＣ２から文書ＢＢＢを１枚するとの印刷指示がなされ、プリンタ３０Ｂが該印刷指示に基づき当該印刷ジョブの印刷を実行している際には、“インサツチュウ  ＢＢＢ  完了ＪＯＢ：１  ＡＡＡ  １５マイ  １０：１５”という内容の印刷実行中表示を行う（図８のステップＳ３１２２参照）。
【０１５８】
その後、ユーザＢによるＰＣ２からの文書ＢＢＢの印刷ジョブの印刷を完了すると、“インサツデキマス  完了ＪＯＢ：２  ＡＡＡ  １５マイ  １０：１５  ＢＢＢ  １マイ  １０：３０”という内容の印刷履歴表示を行うと共に、警告条件（各ユーザの印刷ジョブの印刷枚数差＞Ｎ）を満たすとの判定結果に基づき、誤持ち去り警告音を鳴動させる（図８のステップＳ３１６ｂ参照）。
【０１５９】
またこの時、プリンタ３０ＢからＰＣ１、ＰＣ２に対して警告情報が送られ、これにより、ＰＣ１、ＰＣ２は、それぞれ、表示部１２に、“他人の印刷済み用紙を取り除いた可能性があります。確認してください。”という内容の警告メッセージ表示を行う（図８のステップＳ１０４１，１０４２参照）。
【０１６０】
上記文書ＢＢＢの印刷ジョブが完了した時点で、プリンタ３０Ｂの排出トレイ４０には、ユーザＡによる文書ＡＡＡの１５枚の印刷済用紙と、ユーザＢによる文書ＢＢＢの１枚の印刷済用紙とが混在し、かつ、警告音が鳴動した状態にある。
【０１６１】
この状態で、例えば、先に印刷を完了したユーザＡが、自分の印刷済用紙を取り出すためにプリンタ３０Ｂまで出かけた場合、上記警告音を聞くことになる。
【０１６２】
この警告音を聞いたユーザＡは、他ユーザの印刷済用紙がある可能性があることに気付かされ、排出トレイ４０に排出された印刷済用紙の内容を入念にチェックしたうえで、他ユーザ（ユーザＢ）の印刷済用紙を排出トレイ４０に残し、自分の印刷済用紙のみを持ち去るようにする。
【０１６３】
排出トレイ４０から自分の印刷済用紙を取り出した後、ユーザＡは、警告停止操作操作として、プリンタ３０Ｂのオペレーション・パネル３５を操作してこの時の印刷履歴を表示させ、この印刷履歴の中から、自分の印刷ジョブの印刷履歴を削除する。
【０１６４】
この印刷履歴の削除操作により、プリンタ３０は、それまで実施していた誤持ち去り警告を停止（警告音鳴動停止）する。
【０１６５】
またこの時、プリンタ３０Ｂから印刷履歴を削除したユーザＡが用いるＰＣ１に対して動作状態表示を消去する制御情報が送られ、ＰＣ１は、表示部１２に表示している“他人の印刷済み用紙を取り除いた可能性があります。確認してください。”という内容の警告表示を消去する（図８のステップＳ１０５１参照）。
【０１６６】
これと同時に、プリンタ３０ＢからＰＣ２に対して動作状態情報が送られ、ＰＣ２は、表示部１２にステップＳ１０４ｂにおける誤持ち去り警告メッセージを表示している状態から、“印刷が終了しました。印刷済み用紙を取り除いてください。”という内容の動作状態表示に戻す（図８のステップＳ１０５２参照）。
【０１６７】
このように、本実施例によれば、自分の大量の印刷済用紙の上に他人の印刷済用紙が混在する場合（上記第１の警告条件を満たす場合）や、自分の複数回の印刷ジョブの間に他人の印刷ジョブの印刷処理がなされた場合（上記第２の警告条件を満たす場合）等、他ユーザの印刷済用紙を誤って持ち去る危険性が高い運用状況に際し、他人の印刷済用紙を誤って持ち去ることが無いように注意を喚起できる
なお、上記動作説明では、プリンタ３０Ｂまで行ったユーザＡがプリンタ３０で鳴動されている警告音に気付いて自分の印刷ジョブを削除することにより警告を停止するようにしたが、図８のステップＳ１０４１（あるいは、Ｓ１０４２）で自分が使用するＰＣ１（同、ＰＣ２）に警告メッセージと共に表示される“ＯＫ”ボタンを押下することにより、プリンタ３０Ｂにおける該当するユーザの印刷ジョブを印刷履歴から自動的に消去し、かつ、誤持ち去り警告（警告音鳴動）を停止するようにしても良い。
【０１６８】
また、上記動作説明では、誤持ち去り警告として、オペレーション・パネル３５にその時点までの印刷履歴を表示しつつ警告音を鳴動させるようにしたが、該警告音鳴動制御に代えて、あるいは、該警告音鳴動と共に、例えば、実施例１の如く、“タニンノインサツブツヲ  トリノゾキマシタ  カクニンシテクダサイ”等の内容の警告メッセージ（図１０のステップＳ３１６ｂ−１参照）を表示するようにしても良い。
【０１６９】
また、警告（警告音鳴動、警告メッセージ表示）の停止条件としての印刷履歴の削除について、この例では、ユーザがキー操作（削除操作）により行う例を挙げたが、ユーザによるキー操作を介在させず、一定時間経過後に自動的に消去するようにしても良い。
【実施例３】
【０１７０】
実施例３に係る印刷システムは、実施例１に係るシステム構成（図１参照）中、プリンタ３０に代えてプリンタ３０Ｃを設置して構成される。
【０１７１】
図１１は、実施例２に係るプリンタ３０Ｃの機能構成を示すブロック図である。
【０１７２】
プリンタ３０Ｃにおいて、プリンタ３０（図３参照）における各機能ブロックと同一の機能を果たす機能ブロックには同一の符号を付している。
【０１７３】
プリンタ３０Ｃにおいて、制御部３６ｃは、実施例１に係る各構成要素のうち、誤持去り警告制御部３６４が省かれると共に、印刷履歴管理部３６２に代えて印刷履歴管理部３６２ｃが設けられたものである。
【０１７４】
印刷履歴管理部３６２ｃは、実施例１と同様の、印刷制御部３６１による印刷ジョブの印刷履歴を管理する機能に加え、用紙有無検知センサ４１の検知出力に基づき排出トレイ４０からの印刷済用紙の持ち去りが検出された場合に、印刷履歴に単一のユーザの印刷ジョブしかないことを認識して当該印刷ジョブを自動的に消去する処理機能を有する。
【０１７５】
プリンタ３０Ｃにおける上記以外の各機能ブロックは、実施例１に係るプリンタ３０における同一符号の各機能ブロックと同様のものである。
【０１７６】
図１２は、本実施例に係る印刷システムの印刷履歴管理処理におけるクライアント端末１０とプリンタ３０Ｃ間の制御シーケンスを示す図である。
【０１７７】
図１２において、プリンタ３０Ｃは、待機状態にある時にはオペレーション・パネル３５に待機状態であることを示す動作状態表示を行う（ステップＳ３０１）。
【０１７８】
この待機状態において、ユーザＡがクライアント端末１０−１（ＰＣ１）においてアプリケーション部１４１を立ち上げ、入力／操作部１１を操作して、例えば、文書ＡＡＡの印刷指示を行うと（ステップＳ１０１）、印刷ジョブ生成部１４２により該文書ＡＡＡの印刷を指示する印刷ジョブが生成され、プリンタ３０Ｃに送出される（ステップＳ１０２）。
【０１７９】
これに対し、プリンタ３０Ｃは、ＰＣ１から上記印刷ジョを受信すると、印刷制御部３６１が該印刷ジョブに基づき画像処理部３３により印刷データを生成させ、該印刷データを画像形成部３４に送出して文書ＡＡＡを記録用紙に印刷して排出トレイ４０に排出する印刷処理を行う（ステップＳ３１１）。
【０１８０】
この印刷処理中、制御部３６ｃは、該印刷処理の進行状況に対応する動作状態をオペレーション・パネル３５に表示し、該印刷ジョブの印刷が完了した際には、印刷履歴管理部３６２ｃが該印刷ジョブの印刷履歴を生成、保持すると共に、印刷履歴表示制御部３６３が該印刷履歴に基づき当該印刷ジョブの印刷が完了した旨をオペレーション・パネル３５に表示する（ステップＳ３１２）。
【０１８１】
ステップＳ３１２において、印刷履歴管理部３６２ｃは、印刷完了した印刷ジョブに関する文書名、印刷枚数、印刷時間、ユーザ識別情報等の各情報を含む印刷履歴を生成し、既存の印刷履歴に追加、保持することにより印刷履歴を更新する。
【０１８２】
また、プリンタ３０Ｃでは、上記印刷ジョブの印刷処理が完了すると、制御部３６ｃは、この時の自装置の動作状態（印刷が完了し印刷済用紙の取出しが可能である状態）を示す動作状態情報を印刷指示元のＰＣ１に送出する（ステップＳ３１３）。
【０１８３】
他方、ＰＣ１は、上記印刷指示の送出後、プリンタ３０Ｃから上記動作状態情報を受信すると、印刷装置状態管理制御部１４３が、該動作状態情報を基に表示部１２に当該動作状態を表示する（ステップＳ１０３）。
【０１８４】
その後、ユーザＡが、プリンタ３０Ｃまで行って排出トレイ４０から自分の印刷済用紙を取り去る作業を行う。
【０１８５】
この時、プリンタ３０Ｃでは、用紙有無検知センサ４１の検知出力に基づき印刷済用紙が持ち去られたことが検知される（ステップＳ３３１）。
【０１８６】
この印刷済用紙の持ち去り検知をトリガとして、印刷履歴管理部３６２ｃは、印刷履歴をチェックし，そのチェック結果に基づき当該印刷履歴を消去する必要がある否かを判定する。
【０１８７】
この例のように、印刷履歴としてユーザＡの印刷ジョブしか保持されていないケースでは、印刷履歴中に残っている印刷ジョブが当該ユーザＡの印刷ジョブであることから印刷履歴を自動消去する必要があると判定され（ステップＳ３３２）、印刷履歴中の印刷ジョブを自動的に消去する（ステップＳ３３３）。
【０１８８】
また、この印刷履歴消去処理による印刷履歴の消失に伴い、印刷履歴表示部３６３はオペレーション・パネル３５の印刷履歴表示を消去して（ステップＳ３３４）待機状態の動作状態表示に戻すと共に、該待機状態に対応する動作状態情報を印刷指示元であるＰＣ１に送出する（ステップＳ３３５）。
【０１８９】
これにより、ＰＣ１では、印刷装置状態管理制御部１４３が、プリンタ３０Ｃから受信される上記動作状態情報に基づき、表示部１２に表示されている、印刷用紙の排出を促すメッセージを消し、プリンタ３０Ｃの待機状態に対応する動作状態表示に戻す（ステップＳ１０４）。
【０１９０】
図１３は、本実施例に係るプリンタ３０Ｃの印刷履歴管理処理（図１２のステップＳ３３１〜Ｓ３３３参照）動作を示すフローチャートである。
【０１９１】
図１３において、ステップＳ４０１〜Ｓ４０４の処理は図１２のステップＳ３１１，Ｓ３１２の処理に対応し、ステップＳ４１１及びＳ４１２の処理は図１２のステップＳ３３１の処理に対応し、ステップＳ４１３及びＳ４２１の処理は図１２のステップＳ３３２の処理に対応し、ステップＳ４２２、Ｓ４２３の各処理は、それぞれ、図１２のステップＳ３３３、Ｓ３３４の各処理に対応する。
【０１９２】
図１３に示すように、プリンタ３０Ｃは、図１２のステップＳ３１１，Ｓ３１２でのように、任意のクライアント端末１０から印刷ジョブを受信する毎に該印刷ジョブの印刷を実行し、該印刷が完了することにより、該印刷ジョブの印刷履歴を更新する処理（ステップＳ４０１〜Ｓ４０４）を実施する一方で、印刷履歴管理部３６２ｃが、用紙有無検知センサ４１の検知出力を取り込み（ステップＳ４１１）、排出トレイ４０から印刷済用紙の持ち去られたか否か（検出出力が用紙有りから用紙無しに変わったか否か）を監視する（ステップＳ４１２）。
【０１９３】
ここで、用紙有無検知センサ４１の検知出力に基づき印刷済用紙の持ち去りが検出された場合（ステップＳ４１２ＹＥＳ）、印刷履歴管理部３６２ｃは、現時点で管理している印刷履歴を読出し（ステップＳ４１３）、該印刷履歴を削除するか否かを判定する(ステップＳ４２１)。
【０１９４】
ここで、印刷履歴管理部３６２ｃは、印刷履歴に単一ユーザの印刷ジョブのみ存在することを条件とし、該条件を満たすか否かに応じて印刷履歴を削除するか否かを判定する。
【０１９５】
これにより、印刷履歴に複数ユーザの印刷ジョブが含まれていることにより印刷履歴を削除しないと判定された場合（ステップＳ４２１ＮＯ）、処理を終了する。
【０１９６】
これに対し、印刷履歴に単一ユーザの印刷ジョブしか含まれていないことにより印刷履歴を削除すると判定された場合（ステップＳ４２１ＹＥＳ）、管理している印刷履歴から当該単一ユーザの印刷ジョブを削除する（ステップＳ４２２）。
【０１９７】
また、ステップＳ４２２で印刷ジョブを削除した場合、印刷履歴表示制御部３６３は、該削除後の印刷履歴に基づき印刷履歴を更新表示する（ステップＳ４２３）。
【０１９８】
このステップＳ４２３においては、単一印刷ジョブの削除によって印刷履歴がなくなるため、印刷履歴の表示を消し、待機状態に対応する動作状態表示を行う。
【０１９９】
図１４は、図１２に示す一連の処理に係るプリンタ３０Ｃ及びＰＣ１での状態表示の流れと表示内容の具体例を示す概念図である。
【０２００】
図１４において、各表示内容に併せ付す括弧内の番号は該各表示を行う図１２の各処理ステップの番号を示している。
【０２０１】
図１４に示すように、プリンタ３０Ｃは、電源オン後、アイドル状態（待機状態）に入ると、オペレーション・パネル３５に、“インサツデキマス  完了ＪＯＢ：０”という内容の動作状態表示を行う（図１２のステップＳ３０１参照）。
【０２０２】
次いで、ユーザＡによりＰＣ１から文書ＡＡＡを１５枚するとの印刷指示がなされ、プリンタ３０Ｂが該印刷指示に基づき当該印刷ジョブの印刷を完了すると、“インサツデキマス  完了ＪＯＢ：１  ＡＡＡ  １５マイ  １０：１５”という内容の印刷履歴表示を行う（図１２のステップＳ３１２参照）。
【０２０３】
またこの時、プリンタ３０ＣからＰＣ１に対して動作状態情報が送られ、該ＰＣ１は、表示部１２に、“印刷が終了しました。印刷済み用紙を取り除いてください。”という内容の動作状態表示を行う（図１２のステップＳ１０３参照）。
【０２０４】
その後、この動作状態表示を見たユーザＡがプリンタ３０Ｃまで行って排出トレイ４０から自分の印刷済用紙を取り去ると、図１３に示すステップＳ４２１ＹＥＳ→Ｓ４２２の処理を経て、印刷履歴管理部３６２ｃが管理しているユーザＡの印刷ジョブのみを含む印刷履歴から当該ユーザＡの印刷ジョブが削除される。
【０２０５】
これにより、印刷履歴表示制御部３６３は、該削除後の印刷履歴の内容に基づき、“インサツデキマス  完了ＪＯＢ：０”という、待機状態と同じ動作状態表示を行う（図１２のステップＳ３３４参照）。
【０２０６】
またこの時、削除後の印刷履歴の内容に対応する動作状態情報がＰＣ１に送られ、ＰＣ１では、印刷装置状態管理制御部１４３が、プリンタ３０Ｃから受信される上記動作状態情報に基づき、表示部１２に表示されている、印刷用紙の排出を促すメッセージを消す（図１２のステップＳ１０４参照）。
【０２０７】
本実施例によれば、単一ユーザの印刷ジョブのみが実行され、該印刷済用紙が排出トレイ４０に排出されている時に、該印刷済用紙が持ち去られた場合に自動的に当該ユーザの印刷履歴が削除されるため、当該ユーザが印刷済用紙を取り去るまではＰＣの表示部１２で取り出しを催促する旨の表示がなされるためにユーザの見落としが発生し難く、また、印刷済用紙を取り去るだけで自分の印刷履歴が自動消去されるため、ユーザの操作負担も少なくて済む。
【０２０８】
なお、本実施例に係る印刷履歴自動消去機能は、実施例１に係るプリンタ３０にも適用可能である。
【０２０９】
この場合、実施例１に係るプリンタ３０（図３参照）の制御部３６において、印刷履歴管理部３６２を、実施例３に係る印刷履歴管理部３６２ｃの機能構成とすることにより実現できる。
【０２１０】
かかる構成によれば、例えば、図５に示す一連の処理中、ステップＳ４１４で印刷履歴が警告条件を満たさない（複数ユーザの印刷ジョブを含んでいない）と判定された（ステップＳ４０４ＮＯ）後に、図１３に示すステップＳ４１１〜Ｓ４１３、Ｓ４２１〜Ｓ４２３の一連の処理を実行することにより、印刷済用紙の持ち去り時に複数ユーザの印刷ジョブが存在する場合の誤持ち去り警告機能と、単一ユーザの印刷履歴しかない場合の当該印刷履歴の自動消去機能を併せ持つことができる。
【０２１１】
この他、本発明は、上記し、且つ図面に示す実施例に限定することなく、その要旨を変更しない範囲内で適宜変形して実施できるものである。
【０２１２】
例えば、上述の実施例１，２においては、警告条件や印刷履歴消去タイミング等を装置の設定メニューを用いて適宜選択設定できる構成としても良い。
【０２１３】
更には、実施例１，２、において、それぞれの誤持ち去り警告機能を有効または無効に適宜設定できる構成としても良い。
【産業上の利用可能性】
【０２１４】
本発明は、複数の文書処理端末とネットワーク接続され、複数の利用者が文書処理端末を用いて共用するプリンタや複合機等の印刷制御装置、及び該印刷制御装置を用いる印刷制御システムに適用できる。
【図面の簡単な説明】
【０２１５】
【図１】実施例１に係わる印刷システムの全体構成を示すブロック図。
【図２】実施例１に係るクライアント端末の機能構成を示すブロック図。
【図３】実施例１に係るプリンタの機能構成を示すブロック図。
【図４】実施例１の誤持ち去り警告処理の制御シーケンスを示す図。
【図５】実施例１に係るプリンタの誤持ち去り警告処理動作を示すフローチャート。
【図６】図４での処理に係る状態表示の流れと表示内容の具体例を示す概念図。
【図７】実施例２に係るプリンタの機能構成を示すブロック図。
【図８】実施例２の誤持ち去り警告処理の制御シーケンスを示す図。
【図９】実施例２に係るプリンタの誤持ち去り警告処理動作を示すフローチャート。
【図１０】図８での処理に係る状態表示の流れと表示内容の具体例を示す概念図。
【図１１】実施例３に係るプリンタの機能構成を示すブロック図。
【図１２】実施例３の印刷履歴管理処理の制御シーケンスを示す図。
【図１３】実施例３に係るプリンタの印刷履歴管理処理動作を示すフローチャート。
【図１４】図１２での処理に係る状態表示の流れと表示内容の具体例を示す概念図。
【符号の説明】
【０２１６】
１０，１０−１，１０−２，〜，１０−ｎ…クライアント端末（ＰＣ：パーソナル・コンピュータ）、１１…入力／操作部、１２…表示部、１３…記憶部、１４…制御部、１４１…アプリケーション部、１４２…印刷ジョブ生成部、１４３…印刷装置状態管理制御部、１５…通信インタフェース（Ｉ／Ｆ）部、３０，３０Ｂ，３０Ｃ…プリンタ、３１…通信インタフェース（Ｉ／Ｆ）部、３２…記憶部、３３…画像処理部、３４…画像形成部、３５…表示／操作部（オペレーション・パネル）、３６，３６ｂ，３６ｃ…制御部、３６１…印刷制御部、３６２，３６２ｃ…印刷履歴管理部、３６３…印刷履歴表示制御部、３６４，３６４ｂ…誤持去り警告制御部、４０…排出トレイ、４１…用紙有無検知センサ、５０…伝送路
【図１】
2009184224.tif 000003
【図２】
2009184224.tif 000004
【図３】
2009184224.tif 000005
【図４】
2009184224.tif 000006
【図５】
2009184224.tif 000007
【図６】
2009184224.tif 000008
【図７】
2009184224.tif 000009
【図８】
2009184224.tif 000010
【図９】
2009184224.tif 000011
【図１０】
2009184224.tif 000012
【図１１】
2009184224.tif 000013
【図１２】
2009184224.tif 000014
【図１３】
2009184224.tif 000015
【図１４】
2009184224.tif 000016